(57)【特許請求の範囲】
【請求項１】
一側面に設けられた開口部から内部に空気を吸込み外部に空気を吹出す機構を備えるケーシングと、
前記ケーシングの内部に設けられ、前記ケーシングの対向する２側面を連結する補強フレームと、
前記開口部が下方を向くように前記ケーシングを支持する吊り下げ部材と、
前記ケーシングを介して前記補強フレームと前記吊下げ部材とを連結させ、前記吊下げ部材に対する前記ケーシングの角度を変更自在とする連結手段とを有することを特徴とするサーキュレータ。
【請求項２】
補強フレームは、ケーシングの上面に固定されていることを特徴とする請求項１記載のサーキュレータ。
【請求項３】
ケーシングは、連結手段を回転自在とする回転支持部材と、
前記連結手段を係止する係止手段とを有することを特徴とする請求項１から請求項２いずれか記載のサーキュレータ。
【請求項４】
ケーシングには、回転支持部材と係止手段とが垂直に配置されることを特徴とする請求項３記載のサーキュレータ。
【発明の詳細な説明】
【０００１】
【発明の属する技術分野】
この発明は、空気を攪拌させるサーキュレータに関するものである。
【０００２】
【従来の技術】
図１９は従来のサーキュレータの外観図である。このサーキュレータ１０１は、ケーシング内に設けられたモータに連結され回転する羽根車によって，室内空気をケーシングの一部に設けられた吸込口であるグリルから吸込み、吹出口から吹出すものである。このようにすることで室内空気を攪拌し、主に冬期の室内の天井付近と床付近との間に生じる方温度分布のむらを解消する。
【０００３】
図２０は、このようなサーキュレータの天井に固定した場合の構成である。このように、ケーシング側面の複数箇所に設けられた吊り金具１０２によって天井１０３の上方に設けられた梁などから吊り下げるものである。この時、天井面の一部は、サーキュレータの下面の吹出口と吸込口とが室内に開放されるようにくり貫き部１０４が設けられている。
【０００４】
【発明が解決しようとする課題】
このような構造のサーキュレータは、下面が正確に下向きとなるようにするため、吊り金具はサーキュレータ下面に対して直角に取り付けられている。そのため、図２０に示すように、天井面に傾斜が設けられている場合、サーキュレータを天井の上方に設けられた梁などから吊り下げて、天井面をくり貫いた部分からサーキュレータ下面の吹出口と吸込口とを室内に開放するには、新たに、天上面のくり貫く部分を水平に工事する必要が生じるとともに天上面のデザインが損なわれるといった問題があった。
【０００５】
この発明はかかる問題点を解決するためになされたものであり，傾斜が設けられている天井に簡単に取り付けられるサーキュレータを提供することを目的としている。
【０００６】
【課題を解決するための手段】
一側面に設けられた開口部から内部に空気を吸込み外部に空気を吹出す機構を備えるケーシングと、
ケーシングの内部に設けられ、ケーシングの対向する２側面を連結する補強フレームと、
開口部が下方を向くようにケーシングを支持する吊り下げ部材と、
ケーシングを介して補強フレームと吊下げ部材とを連結させ、吊下げ部材に対するケーシングの角度を変更自在とする連結手段とを有する。
【０００７】
また、補強フレームは、ケーシングの上面に固定されている。
【０００８】
さらに、ケーシングは、連結手段を回転自在とする回転支持部材と、
連結手段を係止する係止手段とを有する。
【０００９】
またさらに、ケーシングには、回転支持部材と係止手段とが垂直に配置される。
【００１０】
【発明の実施形態】
実施の形態１．
図１はこの発明の実施の形態１における天井埋め込み型サーキュレータの斜視図であり、図中、サーキュレータ１は、略直方体形状のケーシング２と、このケーシング２の対向する二つの側面３に設けられた吊り金具４ａと、サーキュレータ１の埋め込まれた天井面から露出する部分に相当するサーキュレータ１の下面の周囲に沿って設けられたグリル５とを有する。
【００１１】
また、図２は天井埋め込み型のサーキュレータを設置するときの施工図であり、図中、天井６内に埋め込まれたサーキュレータ１の下面側の開口部７から見ることができるサーキュレータ１内部には、室内に空気を吸込んで吹出す動作を行う羽根車８と、この羽根車８に接続され回転させるモータ９とが組み込まれている。このようなサーキュレータ１を天井内部に埋め込んで固定した後、サーキュレータ１の下面に当該下面よりも大きいグリル５を設置し、室内からサーキュレータ１を見た場合の外観上の美観を損ねないようにしている。
【００１２】
さらに、図３はサーキュレータによる空気の流れを示すサーキュレータの断面図であり、図中、室内の空気はサーキュレータ１の内部の羽根車８の回転により、開口部７から内部へ吸込まれていく気流１０が発生する。このようにしてサーキュレータ１内部に吸込まれた室内空気は羽根車８の回転によって吹出口１１から開口部７を通って室内に吹出される気流１２となる。
【００１３】
図４はこのようなサーキュレータ１の上方からの斜視図である。図中、サーキュレータ１には側面３に取り付けられた吊り金具４ａに連結された吊下げ部材である吊ボルト１３が設けられており、この吊りボルト１３によって吊り下げ固定されるものである。この吊り金具４ａがケーシング２と吊りボルト１３との連結させる連結手段の働きをする。
【００１４】
図５はこのような吊り金具４ａとケーシング２の側面３との関係を示す斜視図である。図中、側面３には回転支持部材１４が設けられ、吊り金具４ａにはこの回転支持部材１４に対応する位置に回転穴１５が設けられており、吊り金具４ａは回転支持部材１４を支点として回転自在に構成されている。
【００１５】
一方、側面３の回転支持部材１４から下方に向かって一定距離の位置には第一の係止部材１６が設けられ，吊り金具４ａには回転穴１５から前述した一定距離と同じ距離だけ離れた位置に第一の貫通穴１７がこの回転穴１５を中心とした半円周上に複数設けられており、吊り金具４ａは係止手段である第一の係止部材１６によって任意の第一の貫通穴１７の位置で固定されるようになっている。
【００１６】
これら回転支持部材１４と第一の係止部材１６とには、例えばナットのような固定手段が取り付けられており、これによって吊り金具４ａを締め付けることで、吊り金具４ａとケーシング２との固定を確実にしている。
【００１７】
また、前述したように回転穴１５から一定距離に複数設けられた第一の貫通穴１７は、隣り合った穴間同士が回転穴１５と等角度となるように配置されている。
【００１８】
さらに、回転支持部材１４は第一の係止部材１６に比べ、少なくと第一の貫通穴１７部分の吊り金具４ａの厚み分、長く構成されている。従って、第一の係止部材１６に対応させる第一の貫通穴１７を変更したい場合に、第一の係止部材１６だけを第一の貫通穴１７から抜き、回転支持部材１４を回転穴１５から抜かずに、回転支持部材１４を支点として吊り金具４ａを回転させることができる。
【００１９】
このような構成を有したサーキュレータ１は、天井面上方の梁などから鉛直方向に降ろされた吊りボルト１３に対して傾けて固定することが自在である。
【００２０】
図６は傾斜を有する天井面に埋め込まれた状態で取り付けられたサーキュレータ１の外観図である。サーキュレータ１は、吊り金具４ａと吊りボルト１３は鉛直方向のまま、本体だけが天井の傾斜角度θに対応するように選択された第一の貫通穴１７に第一の係止部材１６を貫通させ、これを固定手段で締め付けることで天井の角度θに合わせて固定することができる。
【００２１】
このようにすることで、サーキュレータ１を傾斜を有する天井面に対して、天井面と平行に取り付けることができ、天井面の美観を損ねることもなく、水平な天井面の場合と同等の工事だけで取り付けることが可能となる。
【００２２】
また、回転支持部材と回転穴を有するため、角度変更が簡単である。なお、この実施の形態では例示的に３０度毎に角度を変更できる機構を示しているが、さらに細かい刻みで角度を変更できるように貫通穴を沢山設けてもよい。
【００２３】
また、回転支持部材と係止部材とが垂直に配置されているため、吊下げ後に角度を変更する場合に、下方に配置された係止部材の調整作業を行いやすく、また、これらの部材にかかる重量のバランスもよい。
【００２４】
実施の形態２．
実施の形態１のような構成を有するサーキュレータ１の場合、サーキュレータ１の角度を変えるには少なくとも第一の係止部材１６だけは第一の貫通穴１７から抜かなければ、回転させることができない。
【００２５】
この実施の形態２では、第一の係止部材１６を抜かなくてもサーキュレータ１の角度を変更自在な機構について説明する。なお、実施の形態１と同等の機構には同一の番号を付し、説明を省略する。
【００２６】
図７は、この発明の実施の形態２における吊り金具の正面図である。図中、吊り金具４ｂは、回転穴１５を中心として、前述した第一の貫通穴１７と同じように、円弧状に一定角度間隔で配置された複数の直径がＡである第二の貫通穴１８が設けられ、これら複数の第二の貫通穴１８同士はＡよりも狭い幅Ｂを有する溝１９で連通されている。また、第一の係止部材１６と同じような働きをする第二の係止部材２０が設けられ、この第二の係止部材２０の直径Ｃは幅Ｂよりも小さく設定されている。
【００２７】
図８は、吊り金具４ｂの斜視図である。ここに示すように、吊り金具４ｂの第二の貫通穴１８の直径Ａ及び溝１９の幅Ｂは第二の係止部材２０の直径Ｃよりも広いので、吊り金具４ｂは回転穴１５を貫通している回転支持部材１４を中心として自在に回転できる。
【００２８】
このような構成で第二の係止部材２０に沿ってナットのような固定手段を設け、これにより吊り金具４ｂを締め付けて固定することができる。しかし、単にナットによる締め付けで固定した場合、実施の形態１と異なり、第二の貫通穴１８間は第二の係止部材２０の直径Ｃよりも広い幅Ｂを有する溝１９で連通されているため、ナットが弛めば角度が変ってしまう。
【００２９】
そのため、第二の係止部材２０に設けたスペーサ２１とナット２２からなる固定手段により吊り金具４ｂを固定する必要がある。図９は吊り金具４ｂの断面図であり、図中、スペーサ２１は、第二の係止部材２０に沿って移動自在で、第二の貫通穴１８の直径Ａよりも狭く溝１９の幅Ｂよりも広い外径Ｄを有する。従って、吊りボルト１３に対するサーキュレータ１の角度を変更したい場合はナット２２を緩め、スペーサ２１を吊り金具４ｂの外側に移動させる。一方、角度を固定したい場合はスペーサ２１を第二の貫通穴１８に収納し、ナット２２を締める。これによりナット２２による締め付けだけでなく、スペーサ２１と溝１９の寸法差を利用してより確実に固定できる。
【００３０】
なお、ここでは第二の係止部材２０に沿ってナット２２を締め付ける構造としているが、第二の係止部材２０とナット２２の代わりにボルトを用いても構わない。
【００３１】
図１０は、吊り金具４ｂに角度表示したものの正面図である。ケーシング２の対向する二側面３の少なくとも一方の表面で、回転支持部材１４を中心にして吊り金具４ｂの外側で、第二の貫通穴１８に対応した位置に角度を示す文字である表示文字２３を刻印またはシールなどの方法で表示している。吊り金具４ｂ側には表示文字２３を指し示す指示記号２４を表示する。これによりサーキュレータ１を吊り下げた状態での傾斜角度が視覚的に判断できる。
【００３２】
また、図１１は一部に新たな貫通穴を設けた吊り金具４ｂの斜視図である。この貫通穴は吊り金具４ｂで覆われた側面３の表面に示された角度表示を見るための表示窓２５として機能する。
【００３３】
なお、このような角度表示は図１０のような形態だけでなく、図１２に示すように表示文字２３と指示記号２４の関係が逆となったものでもよい。
【００３４】
このように角度表示することで、予め天井の傾きを測定して角度を変更してから取り付けることが可能となり、作業性が向上する。また、複数のサーキュレータを設置する場合には特に画一的にセッティングすることができ作業時間が短縮される。
【００３５】
実施の形態３．
図１３はこの発明の実施の形態３における吊り金具の斜視図である。なお、実施の形態１と同等の機構には同一の番号を付し、説明を省略する。
【００３６】
図１３中、吊り金具４ｃは、回転支持部材１４を支点に回転自在な回転機構２６と、この回転機構２６を予め定められた位置で固定するための第三の係止部材２７とを有している。さらに、図１４は、この回転機構２６の詳細な構造を説明する断面図である。吊り金具４ｃは回転穴１５を中心とした周辺が絞り加工され、凸部２８を形成している。この凸部２８の内部には、側面３に固定され回転支持部材１４に貫通された吊り金具支持機構２９が収納されており、ケーシング２は、これら凸部２８と回転支持部材１４とにより、吊り金具４ｃから外れることなく回転自在に構成されている。
【００３７】
このようにして、サーキュレータ１の角度を自在に変更できる構成としているが、角度を変更した場合には、吊り金具４ｃに設けられた第三の貫通穴３０と、吊り金具支持機構２９に複数設けられた凹部３１とを第三の係止部材２７によって一緒に貫通して固定する。
【００３８】
この実施の形態では第三の係止部材２７をねじ構造とし、吊り金具４ｂの凸部２８に設けた第三の貫通穴３０と吊り金具支持機構２９に設けた凹部３１にねじ溝を切っているが、ねじ以外であっても、第三の係止部材２７が側面３に平行な向きに設けられ、ケーシング２を吊り金具４ｃに支持できる構造であれば、第三の係止部材２７自体の固定方法は他の方法でよい。
【００３９】
このようにすることで、側面と平行な向きに係止部材が存在するので、角度を変更する際に、側面に対して直角方向にメンテナンススペースを確保できない場所での作業効率が向上する。
【００４０】
実施の形態４．
これまでの実施の形態では、サーキュレータの傾きは、吊下げ金具に設けた複数の貫通穴から任意の穴を選択することで決定されていたので、予め決められた角度に適合する傾きを有する天井にしか取り付けることができなかった。この実施の形態では、対応可能な天井の傾きの自由度を向上させている。なお、実施の形態１と同等の機構には同一の番号を付し、説明を省略する。
【００４１】
図１５は、この発明の実施の形態４における吊り金具の正面図であり、図中、吊り金具４ｄは、回転支持部材１４を収納するように設けられた回転穴１５を中心に半円を描くように設けられた回転角調整用溝３２と、この回転角調整用溝３２に沿って吊り金具４ｄの表面に設けられた凹凸部３３とを有している。ケーシング２は、この回転角調整用溝３２を貫通し側面３に固定された第四の係止部材３４に沿って移動自在な固定手段であるナット３５によって、吊り金具４ｄを側面３に締め付けることで固定され、緩めることで回転支持部材１４を中心に回転自在となり、任意の角度に設定可能である。
【００４２】
ここで、ナット３５によって締め付ける際に、吊り金具４ｄの表面に設けられた凹凸部３３による摩擦力によって固定が確実となる。
【００４３】
図１６は、このような吊り金具４ｄの固定を補助する構成を示した斜視図である。この図では、吊り金具４ｄの回転穴１５の周囲に凹凸部３６を設け、回転支持部材１４に沿って吊り金具４ｄを締め付けるナット３７と回転穴１５との間に、吊り金具４ｄの表面の凹凸部３６と接触する側の表面に凹凸を有したスペーサ３８を設け固定を確実にしている。
【００４４】
実施の形態５．
図１７は、この発明の実施の形態５におけるサーキュレータの外観図である。図中、サーキュレータ１のケーシング２内には、対向する側面３間を接続し梁の役割をする補強フレーム３９が設けられている。この補強フレーム３９は鋼板により形成された箱型構造でケーシング２に比べ剛性が大きくなるように作られており、吊り金具４ｅは側面３とこの補強フレーム３９の側面に固定されている。そのため、単にケーシング２だけにより外殻を構成されるサーキュレータ１の側面に吊り金具を固定した場合に比べ、ケーシング２の角度を傾けて吊り金具４ｅに固定してもケーシング２が自重によって変形することを防ぐことができる。
【００４５】
特に、この発明のサーキュレータ１は傾けて使用されることを前提としているため、重心が片寄った状態でケーシング２だけで設定された角度を保持しようとするとケーシング２全体の剛性を大きくする必要が生じ、結局はサーキュレータが重くなってしまい、吊りボルト１３の耐荷重能力も向上させる必要が生じてしまう。一方、補強フレーム３９を用いれば、今までよりも剛性を大きくするのは補強フレーム３９だけであり、ケーシング２全体の耐荷重能力を向上させる必要がなくなり、重量の増加を防ぎ、コストも低減できる。
【００４６】
なお、補強フレーム３９をケーシング２の上面に取り付ければ、羽根車８やモータ９の配置への影響を最小限に抑えることができるとともに、補強フレーム３９へは一方向荷重となるので、補強フレーム３９の構成を単純化、軽量化できるので、コスト面や信頼性の面でのメリットが大きい。
【００４７】
また、図１８は実施の形態５における吊り金具４ｅの正面図である。図中、吊り金具４ｅは、第五の貫通穴４０が環状に複数配置され、この内の２穴が、それぞれ側面３を通して補強フレーム３９に固定された二本の第五の係止部材４１によって貫通され、これら第五の係止部材４１に沿って移動自在な固定手段によって締め付けられている。
【００４８】
ここでの吊り金具４ｅは、これまでの実施の形態と異なり、側面３にも、吊り金具４ｅに環状に複数配置された第五の貫通穴４０に対応するように穴が設けられている。
【００４９】
これによって、ケーシング２を傾けた場合の重心の偏りに合わせて、第五の係止部材４１を挿入する第五の貫通穴４０を複数の中から選択することができるので、一部の係止部材にのみ荷重が偏ってかかることを防ぐことができ、安定性が向上する。
【００５０】
【発明の効果】
このようにすることで、吊りボルトを垂直に取り付けたまま、傾斜を有する天井にサーキュレータを取り付けることができる。
また、ケーシング内部の補強フレームにより補強されるので、ケーシングの剛性向上のため重量を増加させることを防ぐことができる。
【図面の簡単な説明】
【図１】  この発明の実施の形態１におけるサーキュレータの外観図である。
【図２】  この発明の実施の形態１におけるサーキュレータの施工図である。
【図３】  この発明の実施の形態１におけるサーキュレータの断面図である。
【図４】  この発明の実施の形態１におけるサーキュレータの上方からの斜視図である。
【図５】  この発明の実施の形態１における吊り金具の外観図である。
【図６】  この発明の実施の形態１におけるサーキュレータの天井への取付状態を示す外観図である。
【図７】  この発明の実施の形態２における吊り金具の正面図である。
【図８】  この発明の実施の形態２における吊り金具の外観図である。
【図９】  この発明の実施の形態２における吊り金具の断面図である。
【図１０】  この発明の実施の形態２における吊り金具とサーキュレータの側面部の正面図である。
【図１１】  この発明の実施の形態２における吊り金具の外観図である。
【図１２】  この発明の実施の形態２における吊り金具とサーキュレータの側面部の正面図である。
【図１３】  この発明の実施の形態３における吊り金具の外観図である。
【図１４】  この発明の実施の形態３における吊り金具の断面図である。
【図１５】  この発明の実施の形態４における吊り金具の正面図である。
【図１６】  この発明の実施の形態４における吊り金具の外観図である。
【図１７】  この発明の実施の形態５におけるサーキュレータの外観図である。
【図１８】  この発明の実施の形態５における吊り金具の正面図である。
【図１９】  従来のサーキュレータの外観図である。
【図２０】  従来のサーキュレータの天井への取付状態を示す外観図である。
【符号の説明】
１  サーキュレータ、  ２  ケーシング、  ３  側面、  ４ａ〜４ｅ、  吊り金具、  ５  グリル、  ６  天井、  ７  開口部、  ８  羽根車、  ９  モータ、  １０  気流、  １１  吹出口、  １２  気流、  １３  吊りボルト、  １４  回転支持部材、  １５  回転穴、  １６  第一の係止部材、  １７  第一の貫通穴、  １８  第二の貫通穴、  １９  溝、  ２０  第二の係止部材、  ２１  スペーサ、  ２２  ナット、  ２３  表示文字、  ２４  指示記号、  ２５  表示窓、  ２６  回転機構、  ２７  第三の係止部材、  ２８  凸部、  ２９  吊り金具支持機構、  ３０  第三の貫通穴、  ３１  凹部、  ３２  回転角調整用溝、  ３３  凹凸部、  ３４  第五の係止部材、  ３５  ナット、  ３６  凹凸部、  ３７  ナット、  ３８  スペーサ、  ３９  補強フレーム、  ４０  第五の貫通穴、  ４１  第五の係止部材。
【図１】
0003855787.tif 000002
【図２】
0003855787.tif 000003
【図３】
0003855787.tif 000004
【図４】
0003855787.tif 000005
【図５】
0003855787.tif 000006
【図６】
0003855787.tif 000007
【図７】
0003855787.tif 000008
【図８】
0003855787.tif 000009
【図９】
0003855787.tif 000010
【図１０】
0003855787.tif 000011
【図１１】
0003855787.tif 000012
【図１２】
0003855787.tif 000013
【図１３】
0003855787.tif 000014
【図１４】
0003855787.tif 000015
【図１５】
0003855787.tif 000016
【図１６】
0003855787.tif 000017
【図１７】
0003855787.tif 000018
【図１８】
0003855787.tif 000019
【図１９】
0003855787.tif 000020
【図２０】
0003855787.tif 000021